(57)【特許請求の範囲】
【請求項１】
リニューアル施工を行うスペースを他のスペースから分離するための仮囲い装置を用いるリニューアル工法であって、リニューアルするべき商用スペースの境界位置に床ランナーおよび天井ランナーを配置した状態で、伸縮自在の複数の垂直支保材を立設して、前記垂直支保材の突っ張り力で床ランナー、天井ランナーおよび複数の前記垂直支保材を天井と床の間に固定する工程と、
伸縮自在の水平支保材の長さを伸張させて水平方向に仮設置し、前記垂直支保材と交差する位置にパイプクランプ金具を設置し、前記水平支保材と前記垂直支保材とを前記パイプクランプ金具を締め付けることで締結して支保構造を形成する工程と、
仮囲いを形成するためのパネルに強度を付与するための矩形屈曲部を前記支保構造の側に向けて仮設し、前記矩形屈曲部の隣接する位置にクランプジャッキ金具を配置し、隣接するパネルの前記矩形屈曲部をクランプ固定する工程と、
前記クランプ固定を前記パネルの複数の位置で行い、前記クランプジャッキ金具のジャッキ機構により、前記支保構造の側に引きつけることで前記支保構造に前記パネルを保持させて、仮囲いを形成する工程と
を含むリニューアル工法。
【請求項２】
前記パイプクランプ金具のクランプ・フィンを前記水平支保材または前記垂直支保材に挿入し挟持させて固定する工程と、
前記パイプクランプ金具のクランプで、前記クランプ・フィンの挟持する支保材と直交する方向に延びた他の支保材を固定する工程と
を含む、請求項１に記載のリニューアル工法。
【発明の詳細な説明】
【技術分野】
【０００１】
本発明は、商業施設の業務への影響を最小としながら、商業用スペースの効率的なリニューアル施工を可能とする仮囲い装置およびリニューアル工法に関する。
【背景技術】
【０００２】
近年、顧客ニーズの多様化、商品の多様化、生活様式・習慣の多様化、情報頒布性の拡大にともない、短期的に、また季節的に顧客が求める商品・サービスが変化する。また、近年の経済環境の変動に伴い、企業・店舗の入れ換えや商品内容の入替などが頻繁に行われる傾向にある。
【０００３】
この様な商品入れ換え工事、すなわちリニューアル工事においては、施工を行うスペースの周囲には、商品が陳列されているのが普通である。このため、施工自体は顧客に負担のかからない夜間に行うこともできるが、施工に際して発生する埃、ゴミ、塵などが商品に影響を与えないようにする必要がある。このため、商業スペースのリニューアル施工に際しては、施工スペースに沿ってパネルを連設し、施工スペースと商業スペースとを分ける施工が行われてきた。
【０００４】
例えば、特開平１０−１０２７８７号公報（特許文献１）には、仮囲い用材に工事用パネル取付用の孔を穿孔する必要なく簡単・堅固に構築できる仮囲い取付用具が記載されており、フック形状を有する金具にパネルを引っかけてネジ止めする仮囲い取付用具が記載されている。また、特開２００３−１３６０７号公報（特許文献２）には、上下方向にアジャスタブルな支柱を使用してパネルを連設する仮囲いを記載しており、特許文献２では、伸縮可能なパネルを使用して支柱の長さを変えてパネルを保持する。また、特開２００３−１６６３４８号公報（特許文献３）では、高さ調整用仮囲いパネルが記載されており、両端部がスライド式に高さ調節可能に組み合わせることで再利用可能な仮囲い用のパネルが提案されている。
【０００５】
上述した先行技術文献では、施工を行うスペースに対して仮囲いを設置するためのパネルを固定する金具や仮囲いの高さを、リニューアル施工を行うスペースの天井高さによらず再利用することを可能とするものである。しかしながら、仮囲いのために使用するパネルのために専用の金具を作るのでは、逆にコストがかかりすぎ、またパネルに対する汎用性もないという、施工材料の選択の柔軟性を損ねるという問題もある。また、パネルの種類を問わなければ、近年では、パネルのサイズ種類も豊富になっているのでパネル自体に伸縮性を持たせる方がコストも高くつき、また構成自体も複雑化することからパネルの耐久性も低下し、必ずしも効率的な施工を可能とすると言うことはできない。
【０００６】
さらに近年の経済情勢により、リニューアル施工に対して厳しいコスト要求および納期短縮化が要求されている状況でもあった。
【先行技術文献】
【特許文献】
【０００７】
【特許文献１】特開平１０−１０２７８７号公報
【特許文献２】特開２００３−１３６０７号公報
【特許文献３】特開２００３−１６６３４８号公報
【発明の概要】
【発明が解決しようとする課題】
【０００８】
本発明は、上記従来技術の課題に鑑み、さらに商業施設のリニューアル施工についてより短期施工を可能とし、仮囲いを設置するための材料の再利用性を従来にまして高めた仮囲い装置および当該仮囲い装置を利用したリニューアル工法を提供することを目的とする。
【課題を解決するための手段】
【０００９】
本発明は、仮囲いの本質的な機能が、施工スペースを周囲の商用スペースから塵、ゴミ、埃などの飛散を防止し、施工状態を遮蔽することにあり、構造的強度は、パネルが容易に脱落しない程度であれば良いことに着目し、設置容易な支保構造を採用し、当該支保構造に対してパネルをクランピングすることで、仮囲いを短期間に設置可能とし、また仮囲い用の支保材料やパネルも連続使用することを可能とする仮囲い装置および当該仮囲い装置を使用するリニューアル工法を提供するものである。
【００１０】
本発明では、天井ランナー材および床ランナー材の間に垂直支保材を間隔を持って設置する。垂直支保材は、ネジジャッキとなっており、天井ランナーと床ランナーとをそれぞれ天井および床に圧迫しながら自己の支保強度を発現させる。垂直支保材には、さらに伸縮自在な水平支保材が適切な間隔でクランプ固定され、垂直支保材の弛みを防止するとともに、支保構造に対して横方向の強度を付与する。本発明では、パネル材は、垂直または水平支保材に対し、パネルの縁部に形成され、パネルに剛性を付与するための矩形湾曲部を接触させた２枚のパネルの隣接する縁部をクランプ金具でクランプ固定する。当該クランプ金具は、ネジジャッキ機構がクランプ機構とは反対側に形成されており、当該ネジジャッキ機構は、支保材を挟んで反対側から支保材に対して圧力を加え、この結果、支保材を挟んでネジジャッキ機能の反対側に形成されたクランプにクランピングされたパネル材が、支保材に固定される。
【００１１】
本発明によれば、仮囲いのための支保構造の設置が、支保材の切断加工、商用スペースの施工や傷つけなどを完全に排除しながら、組み立て工だけで設置することができ、また解体も容易で、商用スペースの養生も充分に行うことができ、さらに仮囲い用の用材を完全に再利用することを可能とする、仮囲い装置およびリニューアル工法を提供することが可能となる。
【図面の簡単な説明】
【００１２】
【図１】本発明の仮囲い装置１０６、１０８を使用してリニューアル施工が行われている商用スペース１００の概略図。
【図２】スペース１０５内にいる作業者または施工関係者が見た場合の仮囲い装置１０８の実施形態を示す図。
【図３】本実施形態で使用する垂直支保材１１１および水平支保材１１２の詳細な構成を示した図。
【図４】本実施形態で使用するパイプクランプ金具１１６の詳細な構成を示した図。
【図５】本実施形態のクランプジャッキ金具１１５の詳細な構成を示した図。
【発明を実施するための形態】
【００１３】
以下、本発明を実施形態をもって説明するが本発明は後述する実施形態に限定されるものではない。図１は、本発明の仮囲い装置１０６、１０８を使用してリニューアル施工が行われている商用スペース１００の概略図を示す。商用スペース１００は、デパート・店舗などの営業時間に商品１０２、１０４を陳列したり、試着する試着室１０３などが配置されてスペース１０１を備えており、消費者がスペース１０１を自由に歩きながら、商品を品定めなどを行っている。一方、スペース１０１に隣接したスペース１０５は、店舗の入れ換えや季節の移り変わりなどにより商品を入れ換えるためのリニューアル施工が行われる空間である。スペース１０５は、床から天井（説明の明確化の目的で図示していない。）まで伸びた仮囲い装置１０６、１０８によって商用スペース１００から隔離されていて、リニューアル施工時に発生する塵やゴミなどで商品が汚れたり、また消費者がリニューアル施工の工事現場を見ることによるイメージの劣化や恐怖感を抱くことを防止している。
【００１４】
仮囲い装置１０６、１０８は、サイズが相違するだけで、支保部材およびパネル構成は同様の構成として床面から天井までの間に連設されている。例えば仮囲い装置１０６は、複数のパネル１１０が床面から天井まで適切なサイズのパネルが縦横に組み合わされて配置されており、各パネル１１０は、複数のポイントでパネル１１０の背面、すなわちリニューアルスペース施工の行われるスペース１０５側に架設された支保部材にクランプされている。
【００１５】
図２は、スペース１０５内にいる作業者または施工関係者が見た場合の仮囲い装置１０８の実施形態を示す。仮囲い装置１０８は、仮囲い装置１０６と同様の構成とされているので、詳細な説明は、仮囲い装置１０８のみについて行う。仮囲い装置１０８は、垂直に延びた複数の垂直支保材１１１と、垂直支保材１１１の間に横方向に延びた複数の水平支保材１１２とを備えている。垂直支保材１１１は、ステンレススチール・パイプから形成され、太管内に細管が挿入され、細管と太管との間の相互回転に応じて伸縮する伸縮自在のネジジャッキとして構成されていて、その両端部には、ストッパ材が配設されている。
【００１６】
垂直支保材１１１の両端部が垂直支保材１１１のネジジャッキの伸張に伴って商用スペース１００と共用される床面および天井にそれぞれに接して配置された床ランナー１１８および天井ランナー１１７を、天井および床面にそれぞれ押圧することによって垂直保持強度を提供する。なおネジジャッキによる伸張は、垂直支保材１１１を床ランナー１１８および天井ランナー１１７の間に配置し、作業者がジャッキアップすることだけで行うことができるが、さらに面積が大きな場合や、高さが高い場合には、レンチなどを使用してジャッキアップさせることができる。
【００１７】
水平支保材１１２は、垂直支保材１１１を横方向に連結するようにして複数配置されており、垂直支保材１１１と水平支保材１１２とが交差する位置でパイプクランプ金具１１６が垂直支保材１１１と、水平支保材１１２とを互いに連結している。パイプクランプ金具１１６は、垂直支保材１１１と水平支保材１１２とが交差する複数の位置に、強度を考慮して全箇所に設置することもできるし、適宜間引いて設置することもできる。パイプクランプ金具１１６は、水平支保材１１２を垂直支保材１１１に連結させて、横方向の強度を与える機能を有する他、複数配設されることで、垂直支保材１１１の垂直方向の弛みを確実に防止する機能を提供している。
【００１８】
また、パネル１１０の隣接する箇所には、パネル１１０の強度を提供するために、その端部に矩形湾曲部が形成されており、図２中では、矩形湾曲部が隣接して形成された、縁部隣接部１１３が例示的に示されている。この縁部隣接部１１３の箇所には、クランプジャッキ金具１１５が配設されて、隣接するパネル１１０をクランプ保持するとともに、水平支保材１１２または位置によっては垂直支保材１１１にネジジャッキ機構を介してパネル１１０を支保部材側に引っ張ることによって仮囲い装置１０８の全体的強度を提供する。なお、縁部隣接部１１３は、水平方向にも形成され、図２では、水平方向に形成される縁部隣接部を、簡単にラインで縁部隣接部１１４として示している。縁部隣接部１１４に対しても必要に応じてクランプジャッキ金具１１５を適用し、仮囲いの強度面を補強することができる。以下、本実施形態で使用する垂直支保材１１１、水平支保材１１２、パイプクランプ金具１１６およびクランプジャッキ金具１１５について図３〜図５を参照して詳細に説明する。
【００１９】
図３は、本実施形態で使用する垂直支保材１１１および水平支保材１１２の詳細な構成を示した図である。垂直支保材１１１は、ネジジャッキ構成とされており、細パイプ１１１ａが太パイプ１１１ｃ内に収容され、細パイプ１１１ａおよび太パイプ１１１ｃのそれぞれの内部に配置されたボルト・ナットにより、細パイプ１１１ａを太パイプ１１１ｃに相対回転させることにより、長さが可変とされている。細パイプ１１１ａと、太パイプ１１１ｃの間には、締め付け部材１１１ｂを配置することで、細パイプ１１１ａと太パイプ１１１ｃとの間の相対回転を防止できるようにされている。
【００２０】
なお、締め付け部材１１１ｂは、後述するパイプクランプ金具１１６によって水平支保材１１２に固定されるので、垂直支保材１１１が水平支保材１１２に固定されてしまうまで充分に垂直保持力を保持できる場合には、必ずしも使用されなくとも良い。垂直支保材１１１の上端部および下端部には、ストッパ部材１１１ｄが回動可能に配設されており、ストッパ部材１１１ｄは、それぞれ「コの字」型に形成された天井ランナー１１７および床ランナー１１８に収容された状態で、天井ランナー１１７および床ランナー１１８を垂直支保材１１１の伸張に応じて天井および床にそれぞれ押しつけて、垂直保持力を提供する。
【００２１】
また、水平支保材１１２も同様に細パイプ１１２ａ、太パイプ１１２ｃ、締め付け部材１１２ｂを含んで構成することができる。ただし、水平支保材１１２は、水平方向への突っ張り力を提供する必要は無いので、必ずしもネジジャッキ機能を有している必要は無く、またストッパ部材も必要ではなく、単に伸縮自在に細パイプ１１２ａが太パイプ１１２ｃ内に、ガタツキなく収容されているだけでも良い。ただし、水平支保材１１２の両端部には、消費者や作業者が接触する可能性もあるので、ゴムやプラスチックの端部材を配設することが好ましい。垂直支保材１１１および水平支保材１１２は、それぞれ同一の太さ・強度を有していても良いが、垂直支保材１１１は、仮囲いの自立性を提供する機能を提供することから、垂直支保材１１１の太さや耐力を水平支保材１１２よりも高くすることが好ましい。
【００２２】
図４は、本実施形態で使用するパイプクランプ金具１１６の詳細な構成を示した図である。パイプクランプ金具１１６は、垂直支保材１１１に対して水平支保材１１２を固定するとともに、垂直支保材１１１の垂直保持力を、複数のポイントで水平方向から保持させることで維持させる機能を有する。パイプクランプ金具１１６は、垂直方向に交差する方向のパイプをクランプすることが可能な２種のクランプ機能を備えている。図４中、上側のクランプは、金具１２０、１２１およびボルト・ナットからなる締め付け部材１２３から構成されており、締め付け部材１２３を通孔１２０ａに通して締め付けることで、例えば垂直支保材１１１を２つのプレートの間で固定するために用いることができる。
【００２３】
また、図４中、下側のクランプは、上側のクランプが保持する方向に対して直交する方向のパイプをクランプする機能を備え、パイプの形状に沿うように湾曲した一対のクランプ・フィン１２２が、金具１２１に溶接などによって一体化されて形成されている。クランプ・フィン１２２の先端付近には、位置合わせされた通孔１２２ａが形成されていて、締め付け部材１２３のボルトを通孔１２２ａに通して締め付けることにより、クランプ・フィン１２２がクランプ・フィン１２２の間に収容されたパイプをクランプ・フィン１２２が締め付けることにより、固定する。
【００２４】
この結果、図４に示したパイプクランプ金具１１６は、互いに垂直方向に交差する垂直支保材１１１と、水平支保材１１２とを同一の金具で固定することを可能とする。さらに、パイプクランプ金具１１６は、一方のクランプ機能をクランプ・フィン１２２として提供しているので、固定するべきパイプの軸方向に沿って装着するのではなく、パイプの径方向から圧入することでパイプを収容できるので、垂直支保材１１１、水平支保材１１２に予め複数取り付けておかず、例えば垂直支保材１１１の設置後に垂直支保材１１１に装着できるので、垂直支保材１１１の取付作業時の重量を低減でき、高い作業性を提供する。
【００２５】
図４に示すパイプクランプ金具１１６を例えば垂直支保材１１１に取り付けた後、水平支保材１１２を図４の紙面上下方向から設置し、締め付け部材１２３によって固定することで、互いに直交する方向の各支保材を位置決めした後に固定する工程が著しく簡略化できる。
【００２６】
図５は、本実施形態のクランプジャッキ金具１１５の詳細な構成を示した図である。説明の便宜上、クランプジャッキ金具１１５がクランプ保持するパネル１１０の端部を構成する矩形屈曲部１１０ａも示す。図５に示すクランプジャッキ金具１１５は、説明する実施形態では、水平支保材１１２に装着され、水平支保材１１２に環状部１２５を嵌め込んだ後、クランプジャッキ金具１１５が遊動する状態でクランプ部１２８でパネル１１０の矩形屈曲部１１０ａを挟持させ、通孔１２９に締め付け部材１３０を挿通して締め付けることで、パネル１１０にクランプジャッキ金具１１５を固定させる。その後、環状部１２５に形成されたネジジャッキ１２６を水平支保材１１２に向かって締め付けてゆくことで、水平支保材１１２は、ネジジャッキ１２６を構成するネジ１２７の先端に形成された押圧部材１２７ａにより環状部１２５のクランプ部１２８側に押しつけられ、この動作によって水平支保材１１２がパネル１１０を保持することができる。
【００２７】
なお、図５に示したクランプジャッキ金具１１５には、クランプ部１２８の先端部付近に、ゴム・プラスチックまたは金属面をメッシュ状に凹凸加工したものなど、滑り止め機能部１２８ａなどを設けることで、クランプ性を向上させることもできる。
【００２８】
図５に示したクランプジャッキ金具１１５は、必ずしも水平支保材１１２に取り付けられるものではなく、矩形屈曲部１１０ａの位置によっては、クランプ部１２８の方向を変えた金具を使用することで、垂直支保材１１１に固定することができる。
【００２９】
本実施形態のリニューアル工法では、まず、リニューアルするべき商用スペースの境界位置に床ランナー１１８を設置し、対応する位置に天井ランナー１１７を配置した状態で複数の垂直支保材１１１を立設して、床ランナー１１８および天井ランナー１１７を固定する。次いで、適切な間隔で水平支保材１１２を適切な長さに伸張させて横方向に仮設置し、垂直支保材１１１の水平支保材１１２と交差する位置にパイプクランプ金具１１６を設置し、水平支保材１１２および垂直支保材１１１を締め付け部材１２３によって締結させる。パイプクランプ金具１１６の装着は、水平支保材１１２または垂直支保材１１１にクランプ・フィン１２２を挿入し、垂直支保材１１１のある位置にまでパイプクランプ金具１１６を移動させて、垂直支保材１１１にパイプクランプ金具１１６を仮止めし、その後、クランプ・フィンの通孔１２２ａに締め付け部材１２３を挿通して仮止めし、全部の交差位置を仮止めする。
【００３０】
その後、締め付け具合を見ながら、全部のパイプクランプ金具１１６の締め付けを行うことで、垂直・水平方向に堅固な支保構造を構成する。なお、水平支保材１１２は、仮囲いの全長に満たなくとも、別の水平支保材１１２を異なる高さ・長さとして適宜追加できるので、支保材の切断加工を伴わず、施工手順を軽減でき、さらに再利用できない支保材の発生を排除することができる。
【００３１】
その後、パネル１１０を商用スペースに面した向きに見栄えの良い方を向け、矩形屈曲部１１０ａのある側を支保構造側として仮設してゆき、パネル１１０の矩形屈曲部１１０ａの隣接する位置に図５に示したクランプジャッキ金具１１５を配置し、パネル１１０をクランプした後、ネジジャッキ１２６を締め付けてゆくことで、支保構造にパネル１１０を保持させることができる。なお、クランプジャッキ金具１１５は、支保構造の仮止め施工時に、パネル１１０の端部の位置を見当付け、予め水平支保材１１２または垂直支保材１１１の適切な位置に挿入しておくこともできる。
【００３２】
以上説明したように、本発明によれば、リニューアル施工を行うための仮囲いを、現場における切断加工や廃材を発生させることなく、作業の手順も柔軟性に富み、効率的な仮囲いの設置および除去を可能とする、仮囲い装置およびリニューアル工法を提供することができる。
【符号の説明】
【００３３】
１００  商用スペース
１０１  スペース
１０２  商品
１０３  試薬質
１０４  商品
１０５  スペース
１０６、１０８  仮囲い装置
１１０  パネル
１１０ａ  矩形屈曲部
１１１  垂直支保材
１１１ａ  細パイプ
１１１ｂ、１１２ｂ、１２３、１３０  締め付け部材
１１１ｃ  太パイプ
１１１ｄ  ストッパ部材
１１２  水平支保材
１１２ａ  細パイプ
１１２ｃ  太パイプ
１１３  縁部隣接部
１１４  縁部隣接部
１１５  クランプジャッキ金具
１１６  パイプクランプ金具
１１７  天井ランナー
１１８  床ランナー
１２０  金具
１２０ａ  通孔
１２１  金具
１２２  クランプ・フィン
１２２ａ  通孔
１２５  環状部
１２６  ネジジャッキ
１２７  ネジ
１２７ａ  押圧部材
１２８  クランプ部
１２８ａ  滑り止め機能部
１２９  通孔
【図１】
0005803001.tif 000002
【図２】
0005803001.tif 000003
【図３】
0005803001.tif 000004
【図４】
0005803001.tif 000005
【図５】
0005803001.tif 000006